(57)【要約】【課題】  不正持ち出しを迅速・確実に検出することができ、オペレータを常駐させる必要がない物品管理システムを提供すること。【解決手段】  リーダ・ライタ装置３４が動作して、入室者ＥＰのＩＤカードＴＡ１から入室者ＥＰの入室者ＩＤ情報を読み取る。このＩＤ情報は、端末装置３２を介して制御装置１６に送信される。また、リーダ・ライタ装置３４は、入室者ＥＰが持って来た薬品瓶ＣＢに貼り付けられた無線タグシールＴＡ２から薬品瓶ＣＢ内のうや薬品の種類等を薬品ＩＤ情報として読み取る。さらに、リーダ・ライタ装置３４は、検出した無線タグシールＴＡ２が入室者ＥＰが持ち出し可能な薬品瓶ＣＢである場合には、無線タグシールＴＡ２に設けたＡＦＩ情報欄のフラグに搬出許可情報の書き込みを行って、薬品瓶ＣＢを薬品保管室１０から搬出できる状態にする。【選択図】  図１
2005216059.tif 000002
【特許請求の範囲】
【請求項１】
所定の空間内に保管された物品若しくは物品が容器に収容されている場合にはその容器に取り付けられて、物品情報を保持する無線タグと、個人認証情報を保持する携帯可能な情報記録媒体とから、物品情報及び個人認証情報を読み取る第１情報読取手段と、
前記第１情報読取手段によって物品情報を読み取り後、前記無線タグに物品情報に関連付けた持ち出し許否に関する搬出許可情報を書き込む情報書込手段と、
前記所定の空間の出口に設置されて、無線タグから情報を読み取る第２情報読取手段と、
前記第２情報読取手段によって前記無線タグから読み取った情報のうち前記搬出許可情報に基づいて物品の不正持ち出しを検出することができる検出処理手段と
を備える物品管理システム。
【請求項２】
前記携帯可能な情報記録媒体は、無線タグ、ＩＣカード、磁気カード、及びバーコードのいずれかであることを特徴とする請求項１記載の物品管理システム。
【請求項３】
前記第１情報読取手段で読み取った個人認証情報及び物品情報の関係に基づいて前記搬出許可情報を準備するとともに、物品の種類及び量並びに物品の搬出者に関して搬出を管理する監視制御手段をさらに備えることを特徴とする請求項１及び請求項２のいずれか一項記載の物品管理システム。
【請求項４】
所定の空間内に保管された第１の容器に収容される物品を取り分けて前記所定の空間外に持ち出すための第２の容器に取り付けられて物品情報を保持する無線タグと、個人認証情報を保持する携帯可能な情報記録媒体とから、物品情報及び個人認証情報を読み取る第１情報読取手段と、
前記第１情報読取手段によって物品情報を読み取り後、前記無線タグに物品情報に関連付けた持ち出し許否に関する搬出許可情報を書き込む情報書込手段と、
前記所定の空間の出口に設置されて、無線タグから情報を読み取る第２情報読取手段と、
前記第２情報読取手段によって前記無線タグから読み取った情報のうち前記搬出許可情報に基づいて物品の不正持ち出しを検出することができる検出処理手段と
を備える物品管理システム。
【請求項５】
前記第１の容器から前記第２の容器に取り分けられる物品の使用量を入力する入力手段と、前記入力手段を介して取り込まれた物品の使用量に基づいて在庫管理を行う在庫管理手段とをさらに備えることを特徴とする請求項４記載の物品管理システム。
【請求項６】
前記第１の容器から前記第２の容器に取り分けられる物品の使用量を計測する計測装置と、前記計測装置を介して取り込まれた物品の使用量に基づいて在庫管理を行う在庫管理手段とをさらに備えることを特徴とする請求項４記載の物品管理システム。
【請求項７】
前記携帯可能な情報記録媒体は、無線タグ、ＩＣカード、磁気カード、及びバーコードのいずれかであることを特徴とする請求項４から請求項６のいずれか一項記載の物品管理システム。
【請求項８】
前記第１情報読取手段で読み取った個人認証情報及び物品情報の関係に基づいて前記搬出許可情報を準備するとともに、物品の種類及び量並びに物品の搬出者に関して搬出を管理する監視制御手段をさらに備えることを特徴とする請求項４から請求項７のいずれか一項記載の物品管理システム。
【請求項９】
前記監視制御手段が前記第１情報読取手段で読み取った個人認証情報及び物品情報の関係が所定の条件を満たさないと判定した場合、前記情報書込手段は、前記無線タグに前記搬出許可情報として物品の持ち出しを禁止するため搬出許可状態に設定しないことを特徴とする請求項１から請求項８のいずれか一項記載の物品管理システム。
【請求項１０】
所定の空間内に保管された物品若しくは物品が容器に収容されている場合にはその容器に取り付けられて、ＵＩＤ情報及びＡＦＩ情報を含む所定の情報を保持するとともに、前記ＡＦＩ情報が前記読み取りコマンドの指定に合致している場合に前記ＵＩＤ情報の読み取りに応じる無線タグと、
前記ＡＦＩ情報として物品の持ち出し許否に関する搬出許可情報の書き込みを前記無線タグに対して行う情報書込手段と、
前記所定の空間の出口に設置されるととともに、前記搬出許可情報として物品の搬出不許可を意味する前記ＡＦＩ情報を指定する前記読み取りコマンドを準備して、前記無線タグから前記ＵＩＤ情報の読み取りを試みる情報読取手段と、
前記無線タグから前記ＵＩＤ情報の読み取りに関する応答があった場合に物品の不正持ち出しを検出することができる検出処理手段と
を備える物品管理システム。
【請求項１１】
前記検出処理手段が不正持ち出しを検出した場合に、前記所定の空間の出口に設けたドアをロックする施錠手段をさらに備えることを特徴とする請求項１から請求項１０のいずれか一項記載の物品管理システム。
【請求項１２】
前記検出処理手段が不正持ち出しを検出した場合に、前記第２情報読取手段が設置された場所及び周辺の状態を撮影する撮像手段をさらに備えることを特徴とする請求項１から請求項１１のいずれか一項記載の物品管理システム。
【発明の詳細な説明】
【技術分野】
【０００１】
本発明は、無線タグを用いた物品管理システムに関し、特に個人認証等に関連付けて不正持ち出しを防止することができる物品管理システムに関する。
【背景技術】
【０００２】
無線タグを用いた商品及び顧客の管理システムが存在する（特許文献１参照）。このような管理システムでは、店員が会員カードに埋め込まれた無線タグとレンタルビデオテープに貼り付けられた無線タグとについてタグアドレスを読み取って、端末装置のディスク装置に設けたマスタを参照しつつ、会員であることや、ビデオテープの貸出情報等を確認する。
【特許文献１】特開２０００−２４２８６１号公報
【発明の開示】
【発明が解決しようとする課題】
【０００３】
しかしながら、上記のような管理システムでは、端末装置と交信してディスク装置に記憶したデータを参照する必要があるので、応答の迅速性に一定の限界があり、端末装置のトラブル等によって不正持ち出し防止装置が機能しなくなる可能がある。
【０００４】
また、上記のような管理システムでは、オペレータが常駐して端末装置等の動作や顧客の所作を監視する必要がある。
【０００５】
また、複数の無線タグがアンテナのゲートを通過する際には、ＵＩＤの読み取りが遅くなり、本来不正持ち出しと判定されるべきものが通過してしまう場合がある。
【０００６】
そこで、本発明は、不正持ち出しを迅速・確実に検出することができ、オペレータを常駐させる必要がなく、特に複数の不正な無線タグの通過をミス無く検知することができる物品管理システムを提供することを目的とする。
【課題を解決するための手段】
【０００７】
上記課題を解決するため、第１の発明に係る物品管理システムは、（ａ）所定の空間内に保管された物品若しくは物品が容器に収容されている場合にはその容器に取り付けられて、物品情報を保持する無線タグと、個人認証情報を保持する携帯可能な情報記録媒体とから、物品情報及び個人認証情報を読み取る第１情報読取手段と、（ｂ）第１情報読取手段によって物品情報を読み取り後、無線タグに物品情報に関連付けた持ち出し許否に関する搬出許可情報を書き込む情報書込手段と、（ｃ）所定の空間の出口に設置されて、無線タグから情報を読み取る第２情報読取手段と、（ｄ）第２情報読取手段によって無線タグから読み取った情報のうち搬出許可情報に基づいて物品の不正持ち出しを検出することができる検出処理手段とを備える。
【０００８】
上記物品管理システムでは、第２情報読取手段が所定の空間の出口に設置されて無線タグから情報を読み取り、検出処理手段が無線タグから読み取った情報のうち搬出許可情報に基づいて物品の不正持ち出しを検出するので、端末装置と交信することなく、無線タグの読取結果に基づいて直接不正持ち出しを監視することができる。よって、物品の不正持ち出しを迅速・確実に検出することができる物品管理システムを提供することができる。なお、情報書込手段により、第１情報読取手段が読み取った物品情報に関連付けて、持ち出し許否に関する搬出許可情報を書き込むので、特にオペレータを常駐させることなく物品管理システムを運用することができる。
【０００９】
第１の発明の具体的態様では、上記物品管理システムにおいて、携帯可能な情報記録媒体が、無線タグ、ＩＣカード、磁気カード、及びバーコードのいずれかである。
【００１０】
第１の発明の別の具体的態様では、第１情報読取手段で読み取った個人認証情報及び物品情報の関係に基づいて搬出許可情報を準備するとともに、物品の種類及び量並びに物品の搬出者に関して搬出を管理する監視制御手段をさらに備える。この場合、保管された物品やその搬出者に関して使用状況の管理が可能になる。
【００１１】
第２の発明に係る物品管理システムは、（ａ）所定の空間内に保管された第１の容器に収容される物品を取り分けて所定の空間外に持ち出すための第２の容器に取り付けられて物品情報を保持する無線タグと、個人認証情報を保持する携帯可能な情報記録媒体とから、物品情報及び個人認証情報を読み取る第１情報読取手段と、（ｂ）第１情報読取手段によって物品情報を読み取り後、無線タグに物品情報に関連付けた持ち出し許否に関する搬出許可情報を書き込む情報書込手段と、（ｃ）所定の空間の出口に設置されて、無線タグから情報を読み取る第２情報読取手段と、（ｄ）第２情報読取手段によって無線タグから読み取った情報のうち搬出許可情報に基づいて物品の不正持ち出しを検出することができる検出処理手段とを備える。
【００１２】
上記物品管理システムでは、第２情報読取手段が所定の空間の出口に設置されて無線タグから情報を読み取り、検出処理手段が無線タグから読み取った情報のうち搬出許可情報に基づいて物品の不正持ち出しを検出するので、端末装置と交信することなく、無線タグの読取結果に基づいて直接不正持ち出しを監視することができる。よって、物品を取り分けて使用する際の不正持ち出しを迅速・確実に検出することができる物品管理システムを提供することができる。
【００１３】
第２の発明の具体的態様では、第１の容器から第２の容器に取り分けられる物品の使用量を入力する入力手段と、入力手段を介して取り込まれた物品の使用量に基づいて在庫管理を行う在庫管理手段とをさらに備える。この場合、搬出者の協力によって保管された物品の在庫管理を行うことができる。
【００１４】
第２の発明の別の具体的態様では、第１の容器から第２の容器に取り分けられる物品の使用量を計測する計測装置と、計測装置を介して取り込まれた物品の使用量に基づいて在庫管理を行う在庫管理手段とをさらに備える。この場合、自動的な計測によって保管された物品の在庫管理を行うことができる。
【００１５】
第２の発明の別の具体的態様では、携帯可能な情報記録媒体は、無線タグ、ＩＣカード、磁気カード、及びバーコードのいずれかである。
【００１６】
第２の発明の別の具体的態様では、第１情報読取手段で読み取った個人認証情報及び物品情報の関係に基づいて搬出許可情報を準備するとともに、物品の種類及び量並びに物品の搬出者に関して搬出を管理する監視制御手段をさらに備える。この場合、保管された物品やその搬出者に関して使用状況の管理が可能になる。
【００１７】
第２の発明の別の具体的態様では、監視制御手段が第１情報読取手段で読み取った個人認証情報及び物品情報の関係が所定の条件を満たさないと判定した場合、情報書込手段は、無線タグに搬出許可情報として物品の持ち出しを禁止するため搬出許可状態に設定しない。この場合、情報記録媒体を所有する搬出者に与えられた権限に対応する一定範囲内で物品の持ち出しが可能なる。
【００１８】
第３の発明に係る物品管理システムは、（ａ）所定の空間内に保管された物品若しくは物品が容器に収容されている場合にはその容器に取り付けられて、ＵＩＤ(unique identifier)情報及びＡＦＩ(application family identifier)情報を含む所定の情報を保持するとともに、ＡＦＩ情報が読み取りコマンドの指定に合致している場合にＵＩＤ情報の読み取りに応じる無線タグと、（ｂ）ＡＦＩ情報として物品の持ち出し許否に関する搬出許可情報の書き込みを無線タグに対して行う情報書込手段と、（ｃ）所定の空間の出口に設置されるととともに、搬出許可情報として物品の持ち出し許可を意味するＡＦＩ情報を指定する読み取りコマンドを準備して、無線タグからＵＩＤ情報の読み取りを試みる情報読取手段と、（ｄ）無線タグからＵＩＤ情報の読み取りに関する応答があった場合に物品の不正持ち出しを検出することができる検出処理手段とを備える。
【００１９】
上記物品管理システムでは、情報読取手段が持ち出し許可を意味するＡＦＩ情報を指定する読み取りコマンドを準備して無線タグからＵＩＤ情報の読み取りを試みるので、検出処理手段は、無線タグからＵＩＤ情報の読み取りに関する応答があった場合に物品の不正な持ち出しがあったものと迅速に判断することができる。ここで、複数の無線タグから応答があった場合も、応答があったことを検出することで、混信の有無に関わらず不正持ち出しを検出することができる。よって、無線タグに設けられている既存の簡易な記憶領域を有効に活用することができ、無線タグを経済的なものとすることができる。また、情報読取手段が所定の空間の出口に設置されて無線タグから情報を読み取り、検出処理手段が無線タグからＵＩＤ情報の読み取りに関する応答があった場合に物品の不正持ち出しを検出するので、端末装置と交信することなく、無線タグの読取結果に基づいて直接不正持ち出しを監視することができる。よって、物品の不正持ち出しを迅速・確実に検出することができる物品管理システムを提供することができる。
【００２０】
第１から第３の発明の具体的態様では、検出処理手段が不正持ち出しを検出した場合に、所定の空間の出口に設けたドアをロックする施錠手段をさらに備える。この場合、物品の不正な持ち出しを強制的に阻止することができる。
【００２１】
第１から第３の発明の具体的態様では、検出処理手段が不正持ち出しを検出した場合に、第２情報読取手段が設置された場所及び周辺の状態を撮影する撮像手段をさらに備える。この場合、物品の不正な持ち出しを画像として記録することができる。
【発明を実施するための最良の形態】
【００２２】
〔第１実施形態〕
図１は、第１実施形態に係る物品管理システムの管理対象である薬品保管室の構造を説明する平面図である。
【００２３】
この薬品保管室１０は、頑丈な外壁１１に囲まれた空間ＳＡを有しており、この外壁１１の一箇所に入退室用のドア１２が設けられている。このドア１２の内側には、一対のアンテナからなる退室チェック用のアンテナ１３が設けられており、ドア１２の外側にも、一対のアンテナからなる入室チェック用のアンテナ１４が設けられている。また、ドア１２には、アンテナ１３，１４等の検出結果に応じて動作する施錠手段である自動施錠機構１５が設けられており、入退室が許可されていない者の侵入や脱出を防止できるようになっている。
【００２４】
薬品保管室１０内には、複数の薬品棚２１が設置されている。これらの薬品棚２１には、各種薬品を封入した薬品瓶が適宜配置されている。これらの薬品には、取り扱いに注意を要するものや劇薬等の危険物に該当するものも含まれており、入室者が有する資格によっては外部に持ち出せないものも存在する。なお、薬品棚２１中の薬品瓶には、後述する無線タグが固定されており、無断持ち出しが禁止されるようになっている。
【００２５】
薬品保管室１０のドア１２の近くには、退出処理用のデスク３１が設けられている。デスク３１上には、入力装置である端末装置３２が設置されており、入室者の操作によって、適当なデータを入力することができるようになっている。入室者は、端末装置３２を介して、薬品保管室１０外に設置した制御装置である管理サーバ（不図示）との間で、一定の制限下で必要な通信が行えるようになっている。端末装置３２には、第１情報読取手段である無線タグ用のリーダ・ライタ装置３４が接続されており、対象となる無線タグから必要なデータを読み出したりこの無線タグに対して必要なデータの書き込みを行う。
【００２６】
なお、以上では説明を省略したが、薬品保管室１０内には、撮像手段である監視カメラ５１等を設置することができ、この場合、不審な入室者の行動を観察できる。
【００２７】
図２は、薬品保管室１０を安全に運用するための物品管理システム３０の構造を説明するブロック図である。
【００２８】
この物品管理システム３０は、図１の薬品保管室１０内に設置される端末装置３２と、これに接続されたリーダ・ライタ装置３４と、薬品保管室１０内外に設置される一対のアンテナ１３，１４と、両アンテナ１３，１４を個別に動作させて必要な情報を読み取る一対のリーダ装置４１，４２と、リーダ装置４１等からの指令に基づいて動作する自動施錠機構１５と、監視カメラ５１用の駆動装置３５と、薬品保管室１０外の適所に設置された制御装置１６とを備える。なお、制御装置１６を特に設ける必要はなく、以下に説明する制御装置１６の機能を端末装置３２に兼用させることができる。
【００２９】
ここで、端末装置３２は、コンピュータ等からなり、リーダ・ライタ装置３４との間で通信を行って、リーダ・ライタ装置３４から必要な情報を読み出すとともに、リーダ・ライタ装置３４に必要な情報を送信する。また、端末装置３２は、入室者が必要な情報を入力するためのもので、制御装置１６に取得した情報を送信する。
【００３０】
リーダ・ライタ装置３４は、第１情報読取手段として、所定の検出圏内に近接した無線タグからＩＤ情報等を読み取ることができるとともに、情報書込手段として、対象とする無線タグに設けたＩＣの所定記憶領域に物品の持ち出し許否に関する搬出許可情報を書き込むことができる。
【００３１】
図３は、リーダ・ライタ装置３４の役割を説明する図である。入室者ＥＰは、退出処理用のデスク３１に着席し、リーダ・ライタ装置３４に入室者ＥＰが携帯していたＩＤカードＴＡ１をかざす。この結果、リーダ・ライタ装置３４が動作して、無線タグを内蔵するＩＤカードＴＡ１から、入室者ＥＰの入室者ＩＤ情報を読み取る。このＩＤ情報は、端末装置３２を介して制御装置１６に送信される。また、入室者ＥＰは、リーダ・ライタ装置３４にデスク３１上に持って来た薬品瓶ＣＢに貼り付けられた無線タグシールＴＡ２かざす。この結果、リーダ・ライタ装置３４が動作して、無線タグシールＴＡ２から薬品瓶ＣＢ内の薬品の種類等を薬品ＩＤ情報として読み取る。さらに、リーダ・ライタ装置３４は、検出した無線タグシールＴＡ２が入室者ＥＰによって持ち出し可能な薬品瓶ＣＢであることを示している場合には、無線タグシールＴＡ２に設けたＡＦＩ情報欄に搬出許可情報として所定のＡＦＩ値の書き込みを行って、薬品瓶ＣＢを薬品保管室１０から搬出できる状態にする。
【００３２】
なお、リーダ・ライタ装置３４の構造については、詳細な説明は省略するが、アンテナと、送受信回路と、マイコンチップとを備えており、ＩＤカードＴＡ１や無線タグシールＴＡ２に必要な信号を送信するとともに、ＩＤカードＴＡ１や無線タグシールＴＡ２からの応答信号を受け取る。一方、ＩＤカードＴＡ１や無線タグシールＴＡ２も、アンテナと、送受信回路と、ＩＣ回路とを備えており、リーダ・ライタ装置３４からの指令信号に応じて記憶したデータ等に基づく応答信号を出力する。
【００３３】
図２に戻って、アンテナ１３は、リーダ装置４１と協働することによって第２情報読取手段及び検出処理手段として機能する。具体的には、アンテナ１３は、アンテナ１３を通過して退出する入室者ＥＰのＩＤカードＴＡ１から入室者ＩＤ情報を読み取ることができる。また、アンテナ１３は、入室者ＥＰが持ち出そうとしている薬品瓶ＣＢの無線タグシールＴＡ２から薬品ＩＤ情報の少なくとも一部を読み出すことを試みて無線タグシールＴＡ２から所定の応答があるか否かで搬出の許否を判定することができる。ここで、ＡＦＩ情報が搬出不許可状態を示している場合、リーダ装置４１は、搬出不許可状態に対応する指令信号を自動施錠機構１５に出力する。
【００３４】
アンテナ１４は、リーダ装置４２と協働することにより、アンテナ１４を通過して入室する入室者ＥＰのＩＤカードＴＡ１から入室者ＩＤ情報を読み取ることができる。読み取った入室者ＩＤ情報は、制御装置１６に送信され、入室を許可された対象者のものであるか否かが照会される。ここで、入室者ＩＤ情報が入室を許可された対象者のものである場合、リーダ装置４２は、入室許可状態に対応する指令信号を自動施錠機構１５に出力する。
【００３５】
自動施錠機構１５は、リーダ装置４１，４２や制御装置１６からの指令信号に基づいて動作する電気錠からなる施錠手段であり、薬品保管室１０のドア１２を所望のタイミングで電磁的に施錠する。これにより、不正な入室者ＩＤの侵入を防止することができ、許可されていない薬品瓶ＣＢの搬出を回避することができる。
【００３６】
制御装置１６は、監視制御手段及び在庫管理手段であり、端末装置３２、リーダ・ライタ装置３４と、リーダ装置４１，４２、自動施錠機構１５等の動作を統括的に制御することによって、薬品瓶ＣＢの不正持ち出しを防止しつつ、薬品瓶ＣＢの持ち出し状況や在庫の管理を行う。
【００３７】
図４は、無線タグシールＴＡ２に設けたＩＣ回路内のメモリの構造を示している。このメモリＭＥＭは、ユーザデータ領域ＵＳＡと、ＡＦＩ情報領域ＡＦＡと、ＵＩＤ情報領域ＩＤＡとを備える。
【００３８】
このうち、ユーザデータ領域ＵＳＡは、例えば４バイトの整数倍の容量を有し、制御装置１６のオペレータである管理者等によって書き込み可能でる。このユーザデータ領域ＵＳＡには、薬品瓶ＣＢの退出や返却のタイミング等に関する情報を例えばリーダ・ライタ装置３４を介して保存することができる。なお、端末装置３２を操作する入室者ＥＰによっても、リーダ・ライタ装置３４を介してユーザデータ領域ＵＳＡに一定の情報を記録することができる。
【００３９】
ＡＦＩ情報領域ＡＦＡは、例えば１バイトの容量を有し、本来は無線タグシールＴＡ２のカテゴリーを記録する部分であるが、この場合、余剰の領域に薬品瓶ＣＢの搬出許可情報（具体的にはＡＦＩ値）の書き込みが行われる。なお、ＡＦＩ情報領域ＡＦＡに対する搬出許可情報の書き換えは、制御装置１６からの書き換え指示に応じてのみ可能となっており、不正持ち出しが簡単に行えないないようになっている。
【００４０】
ＵＩＤ情報領域ＩＤＡは、例えば８バイト程度の容量を有し、無線タグシールＴＡ２の薬品ＩＤ情報を記憶する。このＵＩＤ情報領域ＩＤＡは、外部から書き換え不可能となっており、通常は各薬品瓶ＣＢごとに個別の固有情報を保持している。
【００４１】
以上は、無線タグシールＴＡ２の説明であったが、入室者ＥＰが所持するＩＤカードＴＡ１も同様の構造を有しており、入室者ＥＰの個人情報等を保持させることができるようになっている。
【００４２】
図５は、図２等に示す物品管理システム３０の動作を概念的に説明するフローチャートである。
【００４３】
まず、制御装置１６ではリーダ装置４２を利用して入室チェック処理を行う（ステップＳ１１）。具体的には、入室対象者がアンテナ１４を通過する際に、リーダ装置４２が作動して、ＩＤカードＴＡ１に対して入室者ＩＤ情報の読み取りを行う。
【００４４】
制御装置１６は、検出処理手段として、ＩＤカードＴＡ１から特定した人物が入室を許可された者であるか否かを判断する（ステップＳ１２）。制御装置１６は、ＩＤカードＴＡ１を読み取れなかった場合や、ＩＤカードＴＡ１から特定した人物が所定リスト上の該当者でない場合には、入室を許可すべきでないと判断する。逆に、制御装置１６は、ＩＤカードＴＡ１から特定した人物が所定リスト上の該当者である場合には、入室を許可すべきであると判断する。なお、制御装置１６に設けた記憶装置に保管されたテーブルには、ＩＤカードＴＡ１のリストと、入室を許可された所定の該当者と、持ち出し可能な薬品等に関する諸情報とがテーブルとして保管されている。
【００４５】
ステップＳ１２で入室を許可すべきでないと判断した場合、制御装置１６は、自動施錠機構１５をロックしたままに保持し、不正な人物の侵入を阻止する（ステップＳ２１）。
【００４６】
一方、ステップＳ１２で入室を許可すべきであると判断した場合、制御装置１６は、自動施錠機構１５に指令信号を出力して自動施錠機構１５によるドア１２のロックを一定期間解除し、入室対象者の入室を許可する（ステップＳ１３）。なお、ドア１２が一旦開閉動作した場合、自動施錠機構１５はロック状態に戻される。
【００４７】
薬品保管室１０に入った入室者ＥＰは、薬品棚２１をチェックして必要な薬品瓶ＣＢを選択し、薬品瓶ＣＢを持って搬出内容チェックを受けるべくデスク３１に移動する。
【００４８】
端末装置３２では、リーダ・ライタ装置３４を利用して搬出内容チェック処理を行う（ステップＳ１４）。具体的には、入室者ＥＰが薬品瓶ＣＢを持ってデスク３１に着席した時に、リーダ・ライタ装置３４が作動して、入室者ＥＰが着けているＩＤカードＴＡ１に対して入室者ＩＤ情報の読み取りを行うとともに、薬品瓶ＣＢに固定した無線タグシールＴＡ２に対して薬品ＩＤ情報の読み取りを行う。制御装置１６では、ＩＤカードＴＡ１から特定した人物が無線タグシールＴＡ２を固定した薬品瓶ＣＢの搬出を許可された者であるか否かを判断する。制御装置１６は、ＩＤカードＴＡ１や無線タグシールＴＡ２を読み取れなかった場合や、薬品瓶ＣＢの持ち出しを許可された者でないと判断した場合には、受付を拒否するメッセージを端末装置３２に表示して入室者ＥＰが認識できるようにする。一方、ＩＤカードＴＡ１から特定した人物が無線タグシールＴＡ２を固定した薬品瓶ＣＢの搬出を許可された者であると判断した場合、制御装置１６は、受付を許可するメッセージを端末装置３２に表示して入室者ＥＰが認識できるようにするとともに、搬出に関する登録内容が正しいことの確認や、返却される場合には返却予定日の入力を求める。
【００４９】
以上のような搬出内容チェック処理が完了した場合、制御装置１６は、端末装置３２に指令信号を出力する（ステップＳ１５）。これにより、リーダ・ライタ装置３４から無線タグシールＴＡ２に対して搬出許可の書き込みが行われる。具体的には、図４に示すメモリＭＥＭのＡＦＩ情報領域ＡＦＡに対して搬出許可情報の書き換えを行う。すなわち、薬品保管室１０に保管されているすべての薬品瓶ＣＢは、当初ＡＦＩ情報領域ＡＦＡに以下に詳述するＡＦＩ値として搬出不許可状態が設定されているので、搬出内容チェック処理が完了した薬品瓶ＣＢについては、情報の書き換えによって、搬出許可状態が設定される。
【００５０】
その後、リーダ装置４１では、リーダ装置４１を利用して退室チェック処理を行う（ステップＳ１６）。具体的には、入室者ＥＰが薬品瓶ＣＢを持ってアンテナ１３を通過する際に、リーダ装置４１が作動して、ＡＦＩ情報領域ＡＦＡが特定条件に設定されている無線タグシールＴＡ２に対して薬品ＩＤ情報の読み取りを行う。なお、リーダ装置４１が動作する場合、無線タグシールＴＡ２に対してイベントリ要求を行う。イベントリ要求に際しては、検出速度を上げるために、１スロットの応答を求めるインベントリコマンドを用いる。ここで、リーダ装置４１からのイベントリ要求において、ＡＦＩ情報の使用を意味するＡＦＩ使用フラグを設定するとともに搬出不許可状態に対応する特定のＡＦＩ値を指定する。かかるＡＦＩ使用フラグが立っている場合、イベントリ要求を受けた無線タグシールＴＡ２は、このＡＦＩ情報領域ＡＦＡに保持するＡＦＩ値がイベントリ要求中のＡＦＩ値と一致する場合にのみ、ＵＩＤ情報領域ＩＤＡに保持するＵＩＤ情報をリーダ装置４１に返信する。以上のような環境下で、無線タグシールＴＡ２からＵＩＤ情報を受け取った場合、リーダ装置４１は、薬品瓶ＣＢの不正な持ち出しが行われつつあるものと判定することになる。一方、無線タグシールＴＡ２からＵＩＤ情報を受け取らなかった場合、リーダ装置４１は、薬品瓶ＣＢの不正な持ち出しが行われていないと判定することになる。つまり、無線タグシールＴＡ２には、ＡＦＩ情報領域ＡＦＡを利用して搬出の許否に関する搬出許可情報が記録されていることになり、このような搬出許可情報を無線タグシールＴＡ２の応答信号として間接的に読み取ることができる。
【００５１】
なお、以上のイベントリ要求に応答して目的の情報が得られた場合、リーダ装置４１は、ステイ・クワイエット要求を行って、無線タグシールＴＡ２からの応答を停止させる。ところで、複数の無線タグシールＴＡ２が持ち出されることを想定する場合、各無線タグシールＴＡ２からの応答によってコリージョンの問題が生ないようにアンチコリージョンシーケンスを動作させる必要がある。しかしながら、いずれかの無線タグシールＴＡ２からＡＦＩ使用フラグに対応するＵＩＤ情報の返信が始まっていれば不正持ち出しと判定することができるので、アンチコリージョンシーケンスを完了することなく、不正持ち出しを正確かつ迅速に検出することができる。この際、無線タグシールＴＡ２から完全なＵＩＤ情報が得られなくても特に問題はない。
【００５２】
なお、入室者ＥＰがアンテナ１３を通過する際に、リーダ装置４１によってＩＤカードＴＡ１から入室者ＩＤ情報の読み取りを行うこともできる。
【００５３】
次に、リーダ装置４１では、無線タグシールＴＡ２から検出した情報から薬品瓶ＣＢが搬出を許可された状態であるか否かによって動作を変更する（ステップＳ１７）。リーダ装置４１は、無線タグシールＴＡ２が搬出不許可状態を示している場合には、このことを制御装置１６に対して出力する。
【００５４】
入室を許可すべきでないと判定した場合、リーダ装置４１は、自動施錠機構１５をロックしたままに保持し、不正な人物の逃走を阻止する（ステップＳ３１）。そして、不正持ち出しを正に行おうとしている入室者ＥＰの存在を周囲に警報するとともに（ステップＳ３２）、制御装置１６では、アンテナ１３が設置された場所及びその周辺の状態を監視カメラ５１に撮影させ、不審な入室者ＥＰの画像を遠隔的に取得し保存することができる。この場合、不正な入室者ＥＰの安易な逃走防止のため、ドア１２の外側においてアンテナ１４でチャックを受けた別の者が現れ、この者が入室を許可された対象者であっても、自動施錠機構１５のロックを解除しないこととする。ただし、制御装置１６からの指令があった場合には、自動施錠機構１５をロックを解除する。
【００５５】
一方、ステップＳ１７で搬出を許可すべきと判定した場合、リーダ装置４１は、自動施錠機構１５に指令信号を出力して自動施錠機構１５によるドア１２のロックを一定期間解除し、現在の入室者ＥＰの退室を許可する（ステップＳ１８）。なお、ドア１２が一旦開閉動作した場合、自動施錠機構１５はロック状態に戻される。
【００５６】
〔第２実施形態〕
図６は、第２実施形態に係る物品管理システムの管理対象である薬品保管室の構造を説明する平面図である。なお、第２実施形態の物品管理システムは、第１実施形態のシステムを変形したものであり、同一部分には同一の符号を付して重複説明を省略する。
【００５７】
この保管室１１０は、放射線物質の管理場所となっており、保管棚１２１には、各種放射線物質を封入した保管容器が適宜配置されている。また、退出処理用のデスク３１上には、端末装置３２やリーダ・ライタ装置３４のほかに、秤量装置１３５が設置されている。なお、秤量装置１３５は、各種放射線物質の保管容器やこれを取り分ける採取容器の重量を計測することができるようになっており、その計測結果は、端末装置３２に出力される。
【００５８】
図７は、第２実施形態に係る物品管理システムにおける、リーダ・ライタ装置３４の役割を説明する図である。入室者ＥＰがデスク３１に着席してＩＤカードＴＡ１をリーダ・ライタ装置３４にかざすと、リーダ・ライタ装置３４が動作して、ＩＤカードＴＡ１から入室者ＥＰの入室者ＩＤ情報を読み取る。また、デスク３１上に持って来た放射線物質保管容器ＲＶ０に貼り付けられた無線タグシールＴＡ２１を入室者ＥＰがリーダ・ライタ装置３４にかざすと、リーダ・ライタ装置３４は、入無線タグシールＴＡ２１から放射線物質の種類等を物質ＩＤ情報をして読み取る。また、デスク３１上に持って来た取分け用の小型容器ＲＶ１に貼り付けられた無線タグシールＴＡ２２を入室者ＥＰがリーダ・ライタ装置３４にかざすと、リーダ・ライタ装置３４は、無線タグシールＴＡ２２からもこの容器の種類、重量等に関する容器ＩＤ情報を読み取る。
【００５９】
さらに、リーダ・ライタ装置３４は、放射線物質保管容器ＲＶ０について検出した無線タグシールＴＡ２１が入室者ＥＰが持ち出し可能な放射線物質を示している場合には、小型容器ＲＶ１に取り付けた無線タグシールＴＡ２２に設けたＡＦＩ情報欄に搬出許可情報の書き込みを行って、小型容器ＲＶ１を保管室１１０から搬出できる状態にする。
【００６０】
図８は、保管室１１０を安全に運用するための物品管理システム１３０の構造を説明するブロック図である。この物品管理システム１３０は、図２に示す第１実施形態の端末装置３２、リーダ・ライタ装置３４、アンテナ１３，１４、リーダ装置４１，４２、自動施錠機構１５、及び制御装置１６のほかに、秤量装置１３５を備える。この秤量装置１３５は、端末装置３２に駆動されて小型容器ＲＶ１中の放射線物質の重量を自動又は手動で計測できるようになっている。
【００６１】
図９は、第２実施形態の物品管理システム３０の動作を概念的に説明するフローチャートである。
【００６２】
この場合、第１実施形態の場合とほぼ同様の処理が行われる。すなわち、ステップＳ１４において、端末装置３２では、リーダ・ライタ装置３４を利用して搬出内容チェック処理を行う。そして、ＩＤカードＴＡ１から入室者ＩＤ情報の読み取るだけでなく、放射線物質保管容器ＲＶ０に固定した無線タグシールＴＡ２１に対して物質ＩＤ情報の読み取りを行う。制御装置１６では、ＩＤカードＴＡ１から特定した人物が無線タグシールＴＡ２１を固定した放射線物質保管容器ＲＶ０中の放射線物質の搬出を許可された者であるか否かを判断する。制御装置１６は、ＩＤカードＴＡ１や無線タグシールＴＡ２１を読み取れなかった場合や、放射線物質保管容器ＲＶ０中の放射線物質の搬出を許可された者でないと判断した場合には、受付を拒否するメッセージを端末装置３２に表示して入室者ＥＰが認識できるようにする。
【００６３】
制御装置１６は、ＩＤカードＴＡ１から特定した入室者ＥＰが無線タグシールＴＡ２１を固定した放射線物質保管容器ＲＶ０中の放射線物質の搬出を許可された者である判断した場合、小型容器ＲＶ１に取分けられた放射線物質の搬出量のチェックを行う（ステップＳ１４１）。
【００６４】
具体的には、入室者ＥＰが放射線物質保管容器ＲＶ０中の放射線物質を必要量だけ移し替えた後の小型容器ＲＶ１を秤量装置１３５上にセットすることにより、秤量装置１３５にて小型容器ＲＶ１の重量増加が計測され、この重量情報は、端末装置３２を介して制御装置１６に送信される。制御装置１６は、このような重量情報を放射線物質の種類等の他の情報とともに端末装置３２に表示して入室者ＥＰが認識できるようにするととに、入室者ＥＰを特定した管理情報として登録情報テーブルに保管する。このような一連の処理が完了した場合、リーダ・ライタ装置３４から無線タグシールＴＡ２２に対して搬出許可の書き込みが行われる（ステップＳ１５）。
【００６５】
入室者ＥＰが小型容器ＲＶ１を保管室１１０外に持ち出す際には、リーダ装置４１が動作して退室チェック処理が行われる（ステップＳ１６）。この際、リーダ装置４１は、小型容器ＲＶ１に設けた無線タグシールＴＡ２２に対して物質ＩＤ情報の読み取りを行う。その後、リーダ装置４１では、無線タグシールＴＡ２１から検出した情報から小型容器ＲＶ１が搬出を許可された状態であるか否かを判定する（ステップＳ１７）。リーダ装置４１は、無線タグシールＴＡ２１からの応答が搬出不許可状態を示している場合には、このことを制御装置１６に対して出力する。なお、リーダ装置４１が放射線物質保管容器ＲＶ０を検出した場合、無線タグシールＴＡ２２の物質ＩＤ情報は搬出不許可状態を示しているので、このことを制御装置１６に対して出力する。以上により、小型容器ＲＶ１による放射線物質の持ち出し状況が自動的に管理されるだけでなく、許可されていない小型容器ＲＶ１によって放射線物質の不正な持ち出しが行われることを未然に防止でき、かつ、放射線物質保管容器ＲＶ０の不正な持ち出しも未然に防止できる。
【００６６】
以上実施形態に即して本発明を説明したが、本発明は上記実施形態に限定されるものではない。例えば、上記第１実施形態の物品管理システム３０は、薬品保管室１０に関するものであったが、放射線物質の物品管理システムとしても活用することができる。逆に、上記第２実施形態の物品管理システム１３０は、放射線物質の保管室１１０に限らず、化学薬品の物品管理システムとしても活用することができる。
【００６７】
また、上記実施形態では、入室者ＥＰの個人認証情報を保持するために無線タグを内蔵するＩＤカードＴＡ１を用いることとしているが、ＩＣカードやバーコード、磁気カード等の携帯可能な情報記録媒体によって入室者ＥＰの入室チェックを行うこともできる。
【図面の簡単な説明】
【００６８】
【図１】第１実施形態に係る物品管理システムによって管理される薬品保管室の構造を説明する平面図である。
【図２】薬品保管室を安全に運用するための物品管理システムの構造を説明するブロック図である。
【図３】リーダ・ライタ装置の役割を説明する図である。
【図４】無線タグシールに設けたＩＣ回路内のメモリの構造を説明する図である。
【図５】図２等に示す物品管理システムの動作を概念的に説明するフローチャートである。
【図６】第２実施形態に係る物品管理システムによって管理される薬品保管室の構造を説明する平面図である。
【図７】リーダ・ライタ装置の役割を説明する図である。
【図８】物品管理システムの構造を説明するブロック図である。
【図９】第２実施形態の物品管理システムの動作を概念的に説明するフローチャートである。
【符号の説明】
【００６９】
１０…薬品保管室、  １３，１４…アンテナ、  １５…自動施錠機構、  １６…制御装置、  ３０…物品管理システム、  ３２…端末装置、  ３４…リーダ・ライタ装置、  ４１，４２…リーダ装置、  ＴＡ１…ＩＤカード、  ＴＡ２…無線タグシール
【図１】
2005216059.tif 000003
【図２】
2005216059.tif 000004
【図３】
2005216059.tif 000005
【図４】
2005216059.tif 000006
【図５】
2005216059.tif 000007
【図６】
2005216059.tif 000008
【図７】
2005216059.tif 000009
【図８】
2005216059.tif 000010
【図９】
2005216059.tif 000011